(57)【要約】【課題】被照射面の明るさの均斉度が高く、且つ、取付のために必要なスペースが小さくて済む照明器具およびそれを用いる照明システムを提供する。【解決手段】照明器具Ａは被固定面に固定される器具本体１０を有し、この器具本体１０に対して、直管形の蛍光ランプＬａを装着するためのランプソケット２１と、縦長のケース３１に蛍光ランプＬａの点灯回路を保持させた安定器３０とを取り付けてある。そして、蛍光ランプＬａの長手方向一端側が他端側に比べてケース３１から遠ざかるように、蛍光ランプＬａの長手方向とケース３１の長手方向とが同一平面内で斜めに交差し、且つ、ケース３１の長手方向においてケース３１の中心位置が蛍光ランプＬａの長手方向の中心位置に対して一端側にずれるように、ランプソケット２１と安定器３０とを配置してある。【選択図】図１
2006155955.tif 000002
【特許請求の範囲】
【請求項１】
直管形の蛍光ランプを装着するためのランプソケットと、縦長のケースに前記蛍光ランプの点灯回路を保持させた安定器と、前記蛍光ランプの長手方向と前記安定器の長手方向が並行するようにして前記ランプソケットと前記安定器とを保持する器具本体とを備え、
前記蛍光ランプの長手方向一端側が他端側に比べて前記ケースから遠ざかるように、前記蛍光ランプの長手方向と前記ケースの長手方向とが同一平面内で斜めに交差し、且つ、前記ケースの長手方向において前記ケースの中心位置が前記蛍光ランプの長手方向の中心位置に対して前記一端側にずれるように、前記ランプソケットと前記安定器とを配置したことを特徴とする照明器具。
【請求項２】
遮熱性を有し、前記蛍光ランプから蛍光ランプおよび前記安定器の配列方向の片側に照射された光を反対側に反射させる反射部材を設けたことを特徴とする請求項１記載の照明器具。
【請求項３】
前記蛍光ランプの周りを囲むようにして器具本体に取り付けられる透光性のカバーを備え、このカバーの内側に前記反射部材を配置したことを特徴とする請求項２記載の照明器具。
【請求項４】
前記カバーに前記反射部材を一体的に保持する保持手段を設けるとともに、前記蛍光ランプの長手方向に対して前記カバーの向きを１８０度反対向きに取付可能とする取付手段を器具本体に設けたことを特徴とする請求項３記載の照明器具。
【請求項５】
前記カバーの内側面に、前記蛍光ランプから前記配列方向と略垂直な方向に照射される光の進行方向を、前記配列方向と略平行し且つ前記反射部材と反対側の方向に近付けるように曲げるプリズムの凹凸面が形成されたことを特徴とする請求項３又は４に記載の照明器具。
【請求項６】
前記器具本体は、前記ランプソケットおよび前記安定器が取り付けられる板状の主部と、主部に対して略垂直な方向に突出する側部とを一体に備え、主部および側部に、被取付部に対して器具本体をねじ止めする固定ねじを挿通する挿通孔をそれぞれ設けたことを特徴とする請求項１〜５の何れか１つに記載の照明器具。
【請求項７】
前記器具本体において、前記ケースの長手方向の両側に、商用電源を前記点灯回路に供給するための給電線を接続する接続端子をそれぞれ配置したことを特徴とする請求項１〜６の何れか１つに記載の照明器具。
【請求項８】
請求項１〜７の何れか１項に記載の照明器具を複数台備え、各照明器具のケースの長手方向が同一直線上に並び、且つ、隣接する照明器具同士で蛍光ランプの長手方向の端部が互いに重なり合うように、各照明器具を配置したことを特徴とする照明システム。
【発明の詳細な説明】
【技術分野】
【０００１】
本発明は、照明器具およびそれを用いる照明システムに関するものである。
【背景技術】
【０００２】
従来より、光源として直管形の蛍光ランプを備える照明器具を複数台用い、各照明器具の蛍光ランプが一列に並ぶように、複数台の照明器具を建築の内部に配置し、天井や壁を照らすようにした照明システムが提供されている（例えば特許文献１参照）。
【０００３】
ここで、蛍光ランプを一列に並べて配置すると、天井や壁などの被照射面に照射される間接光にソケット部分の影ができて、部分的に暗くなっていた。そこで、図７（ａ）（ｂ）に示すように被固定面に固定される器具本体１０に対して、直管形の蛍光ランプＬａを装着するためのランプソケット２１を備えるソケットブロック２０と、細長のケース３１内に蛍光ランプＬａの点灯回路を保持させた安定器３０とを取り付けた照明器具Ｂにおいて、ケース３１の長手方向と蛍光ランプＬａの長手方向とを、被固定面と略平行な平面内で斜めに交差させたものが従来より提案されている。そして、このような照明器具Ｂを複数台用い、隣接する照明器具同士で、蛍光ランプＬａの長手方向の端部が互いに重なり合うように照明器具Ｂを配置することで、ソケット部分が暗くなるのを防止して、被照射面の明るさの均斉度を高めた照明システムが従来より提案されていた。
【特許文献１】特開２００３−２８１９０２号公報
【発明の開示】
【発明が解決しようとする課題】
【０００４】
上述の照明器具を用いる照明システムでは、ソケット部分が暗くなるのを避けるために、被固定面と略平行な平面内で、安定器３０の長手方向に対して蛍光ランプＬａの長手方向が斜めに交差するように、ソケットブロック２０および安定器３０を配置したため、安定器３０の長手方向と蛍光ランプＬａの長手方向が略平行となるように配置した場合に比べて、照明器具Ｂの短幅方向（図７（ｂ）中の左右方向）の寸法が大きくなり、照明器具Ｂを取り付けるために大きなスペースが必要になるという問題があった。
【０００５】
また上述の照明器具Ｂでは蛍光ランプＬａが露出しているため、蛍光ランプＬａの拭き掃除に手間がかかるという問題があった。また器具本体１０は被固定面に据置して使用されるもので、固定方法が１通りに限られているため、多様な建築化照明に対応することができなかった。
【０００６】
本発明は上記問題点に鑑みて為されたものであり、その目的とするところは、被照射面の明るさの均斉度が高く、且つ、取付のために必要なスペースが小さくて済む照明器具およびそれを用いる照明システムを提供することにある。また請求項３の発明の目的とするところは、上記の目的に加えて、清掃の手間を少なくした照明器具を提供することにある。さらに、請求項６の発明の目的とするところは、上記の目的に加えて、使用目的に合わせた建築化照明を実現できる照明器具を提供することにある。
【課題を解決するための手段】
【０００７】
上記目的を達成するために、請求項１の発明は、直管形の蛍光ランプを装着するためのランプソケットと、縦長のケースに蛍光ランプの点灯回路を保持させた安定器と、蛍光ランプの長手方向と安定器の長手方向が並行するようにしてランプソケットと安定器とを保持する器具本体とを備え、蛍光ランプの長手方向一端側が他端側に比べてケースから遠ざかるように、蛍光ランプの長手方向とケースの長手方向とが同一平面内で斜めに交差し、且つ、ケースの長手方向においてケースの中心位置が蛍光ランプの長手方向の中心位置に対して一端側にずれるように、ランプソケットと安定器とを配置したことを特徴とする。
【０００８】
この発明によれば、蛍光ランプの長手方向一端側が他端側に比べてケースから遠ざかるように、蛍光ランプの長手方向とケースの長手方向とを同一平面内で斜めに交差させているので、複数台の照明器具を安定器が一列に並ぶように並設した場合に、隣接する照明器具同士で蛍光ランプの長手方向の端部が互いに重なり合うように照明器具を配置することができ、ランプソケットの影ができて、部分的に暗くなるのを防止することができる。しかも、ケースの長手方向においてケースの中心位置が蛍光ランプの長手方向の中心位置に対して一端側にずれるように、ランプソケットと安定器とを配置しているので、ケースの中心位置が蛍光ランプの中心位置と略同じ位置になるように配置した場合に比べて、蛍光ランプおよび安定器の配列方向（この方向を短手方向と言う。）においてケースと蛍光ランプとが重なる部分を大きくして、この短手方向における照明器具の寸法を小さくでき、照明器具の取付に必要なスペースを小さくできるという効果がある。
【０００９】
請求項２の発明は、請求項１の発明において、遮熱性を有し、蛍光ランプから蛍光ランプおよび安定器の配列方向の片側に照射された光を反対側に反射させる反射部材を設けたことを特徴とする。
【００１０】
この発明によれば、反射部材によって、蛍光ランプから配列方向の片側に照射された光が反対側に反射されるので、蛍光ランプからの光を配列方向の反対側に集めて、この方向に照射される光の量を増やすことができ、被照射面の明るさの均斉度が向上するという効果がある。また、反射部材によって蛍光ランプの発熱を遮熱することができ、光を照射したい方向と反対側の方向に蛍光ランプの熱が伝導するのを防止することもできる。
【００１１】
請求項３の発明は、請求項２の発明において、蛍光ランプの周りを囲むようにして器具本体に取り付けられる透光性のカバーを備え、このカバーの内側に反射部材を配置したことを特徴とする。
【００１２】
この発明によれば、蛍光ランプを透光性のカバーで覆っているので、蛍光ランプに埃が付着するのを防止でき、また清掃時にはカバーを拭くだけで良いので、清掃作業が簡単になるという効果がある。しかも反射部材がカバーの内側に配置されているので、蛍光ランプの発熱を反射部材が遮熱することで、カバーに伝わる熱を低減することができる。
【００１３】
請求項４の発明は、請求項３の発明において、カバーに反射部材を一体的に保持する保持手段を設けるとともに、蛍光ランプの長手方向に対してカバーの向きを１８０度反対向きに取付可能とする取付手段を器具本体に設けたことを特徴とする。
【００１４】
この発明によれば、取付手段によって、反射部材を保持するカバーを１８０度反対向きに取り付けることが可能なので、カバーの取付方向を変えるだけで、反射部材による反射方向を容易に変更でき、且つ、反射部材は光を出したい方向と反対側に配置されるので、反射部材により遮熱する側を間違えることもない。
【００１５】
請求項５の発明は、請求項３又は４の発明において、カバーの内側面に、蛍光ランプから配列方向と略垂直な方向に照射される光の進行方向を、配列方向と略平行し且つ反射部材と反対側の方向に近付けるように曲げるプリズムの凹凸面が形成されたことを特徴とする。
【００１６】
この発明によれば、カバーの内側面に形成したプリズムの凹凸面によって光の向きを曲げることで、反射部材によって反射される方向へ照射される光の量を増やすことができ、被照射面の明るさの均斉度がさらに向上するという効果がある。しかもプリズムの凹凸面はカバーの内側面に形成されているので、カバーの表面を平坦にできて、表面の清掃を簡単に行えるという効果がある。
【００１７】
請求項６の発明は、請求項１〜５の何れか１つの発明において、器具本体は、ランプソケットおよび安定器が取り付けられる板状の主部と、主部に対して略垂直な方向に突出する側部とを一体に備え、主部および側部に、被固定面に対して器具本体をねじ止めするための固定ねじを挿通する挿通孔を設けたことを特徴とする。
【００１８】
この発明によれば、ランプソケットおよび安定器が取り付けられる主部の面が、鉛直上向きとなるように据置固定したり、鉛直下向きとなるように主部の挿通孔に通した固定ねじを用いて家具の下面などにねじ止めしたり、水平方向を向くように側部の挿通孔に通した固定ねじを用いて天井面にねじ止めするというように、器具本体の固定方法を複数の方法から選択することができ、使用目的に合わせた建築化照明を実現できるという効果がある。
【００１９】
請求項７の発明は、請求項１〜６の何れか１つの発明において、器具本体において、ケースの長手方向の両側に、商用電源を点灯回路に供給するための給電線を接続する接続端子をそれぞれ配置したことを特徴とする。
【００２０】
この発明によれば、給電線を接続する接続端子を、器具本体においてケースの長手方向の両側にそれぞれ配置しているので、複数台の照明器具を、安定器が一列に並ぶように配設した場合には、一方の接続端子を電源接続用、もう一方の接続端子を送り配線用として、複数の照明器具に送り配線することで、給電線の配線作業を簡単に行えるという効果がある。
【００２１】
請求項８の発明は、請求項１〜７の何れか１項に記載の照明器具を複数台備え、各照明器具のケースの長手方向が同一直線上に並び、且つ、隣接する照明器具同士で蛍光ランプの長手方向の端部が互いに重なり合うように、各照明器具を配置したことを特徴とする。
【００２２】
この発明によれば、各々の照明器具において、蛍光ランプの長手方向一端側が他端側に比べてケースから遠ざかるように、蛍光ランプの長手方向とケースの長手方向とを同一平面内で斜めに交差させているので、複数台の照明器具を安定器が一列に並ぶように並設した場合に、隣接する照明器具同士で蛍光ランプの長手方向の端部が互いに重なり合うように照明器具を配置することができ、ランプソケットの影ができて、部分的に暗くなるのを防止した照明システムを実現できる。さらに各々の照明器具では、ケースの長手方向においてケースの中心位置が蛍光ランプの長手方向の中心位置に対して一端側にずれるように、ランプソケットと安定器とを配置しているので、ケースの中心位置が蛍光ランプの中心位置と略同じ位置になるように配置した場合に比べて、短手方向においてケースと蛍光ランプとが重なる部分を大きくして、照明器具の短手方向寸法を小さくでき、照明器具の取付に必要なスペースを小さくした照明システムを実現できる。
【発明の効果】
【００２３】
請求項１の発明によれば、蛍光ランプの長手方向一端側が他端側に比べてケースから遠ざかるように、蛍光ランプの長手方向とケースの長手方向とを同一平面内で斜めに交差させているので、複数台の照明器具を安定器が一列に並ぶように並設した場合に、隣接する照明器具同士で蛍光ランプの長手方向の端部が互いに重なり合うように照明器具を配置することができ、ランプソケットの影ができて、部分的に暗くなるのを防止することができる。しかも、ケースの長手方向においてケースの中心位置が蛍光ランプの長手方向の中心位置に対して一端側にずれるように、ランプソケットと安定器とを配置しているので、ケースの中心位置が蛍光ランプの中心位置と略同じ位置になるように配置した場合に比べて、短手方向においてケースと蛍光ランプとが重なる部分を大きくして、この短手方向における照明器具の寸法を小さくでき、照明器具の取付に必要なスペースを小さくできるという効果がある。
【００２４】
また請求項８の発明によれば、各々の照明器具において、蛍光ランプの長手方向一端側が他端側に比べてケースから遠ざかるように、蛍光ランプの長手方向とケースの長手方向とを同一平面内で斜めに交差させているので、複数台の照明器具を安定器が一列に並ぶように並設した場合に、隣接する照明器具同士で蛍光ランプの長手方向の端部が互いに重なり合うように照明器具を配置することができ、ランプソケットの影ができて、部分的に暗くなるのを防止した照明システムを実現できる。さらに各々の照明器具では、ケースの長手方向においてケースの中心位置が蛍光ランプの長手方向の中心位置に対して一端側にずれるように、ランプソケットと安定器とを配置しているので、ケースの中心位置が蛍光ランプの中心位置と略同じ位置になるように配置した場合に比べて、短手方向においてケースと蛍光ランプとが重なる部分を大きくして、照明器具の短手方向寸法を小さくでき、照明器具の取付に必要なスペースを小さくした照明システムを実現できる。
【発明を実施するための最良の形態】
【００２５】
本実施形態の照明器具Ａの平面図を図１（ａ）に、側面図を図１（ｂ）にそれぞれ示す。また照明器具Ａの一部破断せる側面図を図２に示す。
【００２６】
この照明器具Ａは、天井や壁のような被取付部に取り付けられる器具本体１０に対して、直管形の蛍光ランプＬａを装着するためのランプソケット２１を備えるソケットブロック２０と、細長のケース３１に蛍光ランプＬａの点灯回路（図示せず）を保持させた安定器３０とを、蛍光ランプＬａの長手方向と安定器３０の長手方向が並行するように取り付けてある。
【００２７】
器具本体１０は板金を折り曲げることによって、矩形板状の主部１１と、主部１１の長手方向に沿う一側縁から主部１１と略垂直な方向（上方）に突出する側部１２とを一体に備えている。この器具本体１０には、側面視の形状が略Ｌ字型であって両側片の先端が主部１１および側部１２の上側端に接続される覆い部１３が、着脱自在に取り付けられる。そして、主部１１と側部１２と覆い部１３とで囲まれる空間内に安定器３０が配置され、その外側にソケットブロック２０が配置されている。また器具本体１０の主部１１には、覆い部１３の外側であって、ソケットブロック２０が取り付けられる部位以外の部位に、固定ねじ（図示せず）を挿通するための挿通孔１４，１５が貫設されている。また器具本体１０の側部１２にも、安定器３０と対向する部位以外の部位に、固定ねじを挿通するための一対の挿通孔１６，１７と、給電線を導入するためのケーブル挿通孔１８とが貫設されている。
【００２８】
ソケットブロック２０は、細長の板金を折曲して形成された取付ベース２２を有し、取付ベース２２の長手方向両端部にランプソケット２１，２１を取り付けてある。
【００２９】
安定器３０のケース３１は両端が開口した蒲鉾形に形成されており、その内部にはプリント配線板よりなる回路基板３２を保持させてある。この回路基板３２には、蛍光ランプＬａを点灯させる従来周知の点灯回路の構成部品が実装されており、回路基板３２とランプソケット２１，２１との間はケーブル３３を介して電気的に接続されている。図２中の３４はケーブル３３を回路基板３２に接続するための接続端子であり、図２ではケーブル３３を省略して図示してある。また器具本体１０には、ケース３１の長手方向の両側部に、商用電源を上記の点灯回路に供給するための給電線（図示せず）を接続する接続端子ＣＮ１，ＣＮ２をそれぞれ配置してあり、各接続端子ＣＮ１，ＣＮ２と回路基板３２との間はケーブル３５，３５を介して電気的に接続されている。
【００３０】
そして、ソケットブロック２０と安定器３０とは、長手方向が並行するように主部１１の主表面に並べて取り付けてあり、蛍光ランプＬａの長手方向一端側（図１（ａ）中の左側）が他端側（右側）に比べてケース３１から遠ざかるように、蛍光ランプＬａの長手方向とケース３１の長手方向とを同一平面内（主部１１と略平行な平面内）で斜めに交差させ、且つ、ケース３１の長手方向においてケース３１の中心位置が、蛍光ランプＬａの長手方向の中心位置に対して一端側（左側）にずれるよう、ソケットブロック２０と安定器３０とを配置してある。
【００３１】
このように蛍光ランプＬａの長手方向一端側が他端側に比べてケース３１から遠ざかるように、蛍光ランプＬａの長手方向とケース３１の長手方向とを同一平面内で斜めに交差させているので、図６に示すように複数台の照明器具Ａ１、Ａ２、Ａ３…を安定器３０が一列に並ぶように並設した場合に、隣接する照明器具Ａ１…同士で蛍光ランプＬａの長手方向の端部が互いに重なり合うように照明器具Ａ１…を配置することができ、被照射面にランプソケット２１の影ができて、部分的に暗く見えるのを防止することができる。
【００３２】
しかも、ケース３１の長手方向において、ケース３１の中心位置ＣＬ１が蛍光ランプＬａの長手方向の中心位置ＣＬ２に対して一端側（左側）にずれるように、ランプソケット２１と安定器３０とを配置しているので、ケース３１の中心位置ＣＬ１が蛍光ランプＬａの中心位置Ｃｌ２と略同じ位置になるように配置した場合に比べて、蛍光ランプＬａおよび安定器３０の配列方向（短手方向）においてケース３１と蛍光ランプＬａとが重なる部分を大きくして、照明器具Ａの短手方向寸法をできるだけ小さくでき、照明器具Ａ１…の取付に必要なスペースを小さくできる。
【００３３】
また本実施形態では、器具本体１０の主部１１において、ケース３１の長手方向の両側に接続端子ＣＮ１，ＣＮ２をそれぞれ配置しているので、複数台の照明器具Ａ１…を、安定器３０が一列に並ぶように配設した場合には、一方の接続端子ＣＮ１（ＣＮ２）を電源接続用、もう一方の接続端子ＣＮ２（ＣＮ１）を送り配線用として、隣接する照明器具Ａ１…の接続端子ＣＮ１、ＣＮ２間を給電線３６を介して電気的に接続することで、複数の照明器具Ａ１…に給電線を送り配線することができ、給電線の配線作業を簡単に行うことができる。なお図６に示す例では給電線３６を器具本体１０の長手方向の両側から引き込んでいるが、側部１２に設けたケーブル挿通孔１８を通して給電線を引き込むようにしても良い。
【００３４】
さらに本実施形態では、ソケットブロック２０の取付ベース２２に、蛍光ランプＬａの周りを囲むように、透光性を有する透明なカバー４０を取り付けてある（図２参照）。カバー４０は樹脂成型品からなり、細長い板状の上板４１と、上板４１の長手方向に沿う両側縁から下方に突出する側板４２，４３とで側面視の形状が略コ字形に形成されており、側板４２，４３の外側面の下縁からは外側に向かって外鍔４４，４４が突設されている。
【００３５】
ここで、取付ベース２２には、長手方向に沿う一方の側縁を上側に折り曲げることによって、一方の外鍔４４と係止する弾性係止片２３が形成されるとともに、長手方向に沿う他方の側縁の一部を切り起こすことによって、他方の外鍔４４と係止する係止爪２４，２４が形成されている。而して取付ベース２２にカバー４０を取り付けるにあたっては、カバー４０の一方の外鍔４４を斜め上側から係止爪２４，２４に差し入れて、係止爪２４，２４と引掛係止させた後に、カバー４０の反対側を取付ベース２２側に押し込むと、他方の外鍔４４によって弾性係止片２３が外側に押し広げられる。その後、カバー４０の反対側を取付ベース２２側にさらに押し込むことで、外鍔４４が弾性係止片２３を越えて、弾性係止片２３と取付ベース２２上面との間に外鍔４４が保持されることで、カバー４０を取付ベース２２に対して容易に取り付けることができる。またカバー４０を取り外す際にはカバー４０の反対側を取付ベース２２から離れる方向に引っ張ると、外鍔４４によって弾性係止片２３が外側に押し広げられ、外鍔４４と弾性係止片２３との係止状態が外れるので、カバー４０を容易に取り外すことができる。このように、弾性係止片２３の弾性を利用してカバー４０を着脱できるので、カバー４０の着脱作業を容易に行うことができる。ここに、弾性係止片２３と係止爪２４とでカバー４０を取付ベース２２（器具本体）に取り付ける取付手段が構成される。
【００３６】
またカバー４０には、一方の側板４３の内側面に沿って反射板４５が着脱自在に取り付けられる。反射板４５は遮熱性を有する周知の樹脂材料により帯板状に形成されており、可視光に対する反射率が高くなるよう白色に形成されている。側板４３の内側面の上下両側には差込溝４３ａ，４３ｂが形成されており、カバー４０の一端側から差込溝４３ａ，４３ｂ内に反射板４５を差し込むことによって、反射板４５がカバー４０に一体的に保持される。ここに差込溝４３ａ，４３ｂにより反射板４５を一体的に保持する保持手段が構成される。またカバー４０の他方の側板４２と上板４１の内側面（蛍光ランプＬａとの対向面）には、プリズムを構成する複数の凹凸面４６が形成されている。
【００３７】
而して、このカバー４０を取付ベース２２に取り付けた状態では、ランプソケット２１に装着された蛍光ランプＬａと、カバー４０に保持された反射板４５とが、蛍光ランプＬａおよび安定器４０の配列方向において並置され、蛍光ランプＬａから反射板４５側（配列方向の片側）に照射された光が、反射板４５によって反対側に反射されるので、蛍光ランプＬａからの光を配列方向の反対側に集めて、この方向に照射される光の量を増やすことができ、被照射面の明るさの均斉度を高めることができる。また蛍光ランプＬａから上側（配列方向と略垂直な方向）に照射される光が、上板４１および側板４２の凹凸面４６によって下寄り、すなわち配列方向と略平行し且つ反射板４５と反対側の方向に近付くように曲げられるので、この方向に照射される光の量を増やすことができ、被照射面の明るさの均斉度をさらに高めることができる。なお図２中の点線は反射板４５とプリズムとで配光が制御された配光パターンを示している。
【００３８】
ここで、透光性のカバー４０により蛍光ランプＬａを覆っているので、蛍光ランプＬａに埃が付着するのを防止でき、また清掃時にはカバー４０を拭くだけで良いので、清掃作業が簡単になる。またプリズムの凹凸面４６はカバー４０の内側面に形成されているので、カバー４０の表面を平坦に形成でき、表面の清掃を簡単に行うことができる。しかも、反射板４５はカバー４０の内側に配置されているので、蛍光ランプＬａの発熱を反射板４５が遮熱することで、カバー４０に伝わる熱を低減することができる。また、反射板４５を保持させたカバー４０は、一方の側板４２，４３に設けた外鍔４４を係止爪２４に引掛係止させるとともに、他方の側板４３，４２に設けた外鍔４４を弾性係止片２３に係止させることで、取付ベース２２に取り付けられるので、取付ベース２２（すなわち蛍光ランプＬａ）の長手方向に対してカバー４０の向きを１８０度反対向きに取り付けることができ、カバー４０の取付方向を変えるだけで、反射板４５による反射方向を容易に変更でき、且つ、反射板４５は光を出したい方向と反対側に配置されるので、反射板４５により遮熱する側を間違えることもない。
【００３９】
本実施形態の照明器具Ａは以上のような構成を有しており、この照明器具Ａを用いた照明システムについて以下に説明する。この照明器具Ａは、建築の内部に配置して天井や壁を照らすようにした建築化照明器具であり、図３〜図５に各種の施工状態を示す。
【００４０】
図３はコーブ照明時の施工状態を示し、建物の壁５１の上部に、天井５０との間に隙間を空けて突設された断面Ｌ字形の張出部５２に器具本体１０を据置取付する。なお、器具本体１０を、主部１１の挿通孔１４，１５に挿通した固定ねじを用いて張出部５２にねじ固定しても良いし、その他の固定方法を用いて張出部５２に固定しても良い。コーブ照明時には、壁５１側に安定器３０が、安定器３０に対して壁５１と反対側にソケットブロック２０が配置されるように器具本体１０を固定してある。またカバー４０は、反射板４５が蛍光ランプＬａと安定器３０との間に位置するように取付ベース２２に取り付けてある。この時、蛍光ランプＬａから照射された光は、張出部５２の先端と天井５０との間の隙間を通して天井面に照射される。そして、蛍光ランプＬａから壁５１側に照射された光は反射板４５によって壁５１と反対向きに反射され、さらに蛍光ランプＬａから上向きに照射される光は、カバー４０の凹凸面４６によって下側に曲げられるので、張出部５２の先端と天井５０との間の隙間を通して天井５０の中央部に照射される光を増やして、被照射面の明るさの均斉度を高めることができる。
【００４１】
また図４はコーニス照明時の施工状態を示し、壁５１との間に隙間を空けて天井５０から垂下された下り壁５３の側面（壁５１との対向面）に主部１１の裏面を近接させて器具本体１０を配置し、側部１２の挿通孔１６，１７に通した固定ねじ６０を天井部分に螺入することで、器具本体１０を固定してある。コーニス照明時には、天井５０側に安定器３０が、安定器３０に対して天井５０と反対側にソケットブロック２０が配置されるように器具本体１０を固定してある。またカバー４０は、反射板４５が蛍光ランプＬａと安定器３０との間に位置するように取付ベース２２に取り付けてある。この時、蛍光ランプＬａから照射された光は壁５１に照射されるのであるが、蛍光ランプＬａから天井５０側に照射された光は反射板４５によって下向きに反射され、さらに蛍光ランプＬａから水平方向の片側（下り壁５３と反対側）に照射される光は、カバー４０の凹凸面４６によって下側に曲げられるので、照明器具Ａの下方の壁５１に照射される光を増やして被照射面の明るさの均斉度を高めることができる。またコーニス照明の場合、安定器３０の下側に蛍光ランプＬａが配置されるので、反射板４５は蛍光ランプＬａの上側に配置されることになり、この反射板４５によって蛍光ランプＬａの発熱がカバー４０や造営材（天井５０）に悪影響を与えるのを防止できる。
【００４２】
さらに図５は家具の下に取り付けて使用する場合の施工例を示し、床５４との間に隙間を設けた状態で、背面を壁５１に接して取り付けられる家具５５の下面に照明器具Ａを取り付けて、家具５５の下面から床５４に光を照射して間接照明を行っている。器具本体１０は、主部１１および側部１２を、それぞれ、家具５５の下面および壁５１に当接させた状態で、挿通孔１４〜１７に挿通させた固定ねじ６０を家具５５および壁５１に螺入することによって、家具５５の下面に固定される。家具下照明の場合には、壁５１側に安定器３０が、安定器３０に対して壁５１と反対側にソケットブロック２０が配置されるように器具本体１０を固定してある。またカバー４０は、反射板４５が蛍光ランプＬａと安定器３０との間に位置するように取付ベース２２に取り付けてある。この時、蛍光ランプＬａから照射された光は、家具５５の下面と床５４との間の隙間を介して床５４の中央部に照射されるのであるが、蛍光ランプＬａから壁５１側に照射された光は反射板４５によって反対向きに反射され、さらに蛍光ランプＬａから下向きに照射される光は、カバー４０の凹凸面４６によって壁５１と反対側に曲げられるので、床５４の中央部に照射される光を増やして被照射面の明るさの均斉度を高めることができる。
【００４３】
このように、本実施形態の照明器具Ａは、器具本体１０の主部１１および側部１２に、固定ねじを挿通するための挿通孔１４〜１７を設けているので、挿通孔１４〜１７に挿通した固定ねじ６０を用いて上述の３通りの取付方法で被固定面に固定することができ、目的用途別の建築化照明に対応することができる。
【図面の簡単な説明】
【００４４】
【図１】本実施形態の照明器具を示し、（ａ）は平面図、（ｂ）は側面図である。
【図２】同上の一部破断せる側面図である。
【図３】同上を用いてコーブ照明を行う場合の施工図である。
【図４】同上を用いてコーニス照明を行う場合の施工図である。
【図５】同上を家具の下面に取り付けた場合の施工図である。
【図６】同上を複数台用いた照明システムの説明図である。
【図７】従来の照明器具を示し、（ａ）は平面図、（ｂ）は側面図である。
【符号の説明】
【００４５】
Ａ    照明器具
１０  器具本体
２１  ランプソケット
３０  安定器
３１  ケース
Ｌａ  蛍光ランプ
【図１】
2006155955.tif 000003
【図２】
2006155955.tif 000004
【図３】
2006155955.tif 000005
【図４】
2006155955.tif 000006
【図５】
2006155955.tif 000007
【図６】
2006155955.tif 000008
【図７】
2006155955.tif 000009